(57)【特許請求の範囲】
【請求項１】
外部からの光コネクタプラグを受容するための第１の方向に延びる空間を提供する光レセプタクルと、
前記光レセプタクルを搭載するハウジングと、
ホストシステムのねじ孔に螺合されるねじと、
を備え、
前記ねじは、一端部及び他端部を有する棒状のねじ本体部を有し、前記一端部には雄ねじが形成されており、前記ねじ本体部には、該ねじの軸線中心に環状の溝が形成されており、
前記ハウジングは、前記第１の方向に延びる溝であって前記ねじ本体部が配置される溝を画成しており、
前記光レセプタクルの前記空間から前記ハウジングの前記溝に向かう第２の方向に延びるスライダ本体部であり該第２の方向においてスライド可能な該スライダ本体部を有するスライダを更に備え、
前記スライダ本体部は、一端及び他端を含んでおり、前記第１の方向における前記一端の位置が前記ねじ本体部の前記溝を画成する面以外の前記ねじ本体部の表面の前記第１の方向における位置と一致する場合には、前記スライダ本体部の前記他端が前記光レセプタクルの前記空間内に位置し、前記スライダ本体部の前記一端が前記ねじ本体部の前記溝内に位置する場合には、前記スライダ本体部の前記他端が前記空間への前記光コネクタプラグの挿入を阻害しないよう、移動可能である、
光トランシーバ。
【請求項２】
前記スライダは、前記スライダ本体部に結合されたバネ構造であり、前記スライダ本体部を前記光レセプタクルに向けて付勢する該バネ構造を有する、請求項１に記載の光トランシーバ。
【請求項３】
前記ハウジングは、前記スライダ本体部が通る溝が形成された壁を含む、請求項１又は２に記載の光トランシーバ。
【請求項４】
前記スライダ本体部の前記他端は、前記空間内に向けて傾斜しており、
前記光レセプタクルは、前記第２の方向から前記空間を画成する側壁部を有しており、
前記側壁部には、前記スライダ本体部が通る溝が形成されている、
請求項１〜３の何れか一項に記載の光トランシーバ。
【請求項５】
前記ねじ本体部は、該ねじ本体部の前記溝と前記一端部の間に設けられたフランジを含んでおり、
前記ハウジングは、前記ねじ本体部の前記他端部側の前記フランジの面に対面する面を有する、
請求項１〜４の何れか一項に記載の光トランシーバ。
【請求項６】
前記ハウジングは、前記ねじ本体部の前記一端部側の前記フランジの面に対面する面を有しており、
前記ねじ本体部の前記一端部側の前記フランジの前記面と該面に対面する前記ハウジングの前記面との間に設けられたバネを更に備え、
前記バネは、前記ねじ本体部の前記一端部側の前記フランジの前記面を付勢する、
請求項５に記載の光トランシーバ。
【請求項７】
前記フランジ側の前記バネの端部に取り付けられたワッシャであって、前記バネの回転を規制する該ワッシャを更に備える、請求項６に記載の光トランシーバ。
【発明の詳細な説明】
【技術分野】
【０００１】
本発明は、光トランシーバに関するものである。
【背景技術】
【０００２】
光トランシーバとしては、以下の非特許文献１に記載された光トランシーバが知られている。この光トランシーバは、光送信サブアセンブリ、光受信サブアセンブリ、光レセプタクル、ハウジング、及び、ねじを備えている。光送信サブアセンブリ、光受信サブアセンブリ、及び、光レセプタクルは、ハウジングに搭載されている。この光トランシーバは、ホストシステムのねじ孔にねじを螺合することによって、当該ホストシステムに装着される。
【先行技術文献】
【非特許文献】
【０００３】
【非特許文献１】”ＣＦＰ  ＭＳＡ  Ｄｒａｆｔ  １．０”、[Ｏｎｌｉｎｅ］、２００９年３月２３日、［２０１０年４月２０日検索］、インターネット＜http://www.cfp-msa.org/Documents/CFP-MSA-DRAFT-rev-1-0.pdf＞
【発明の概要】
【発明が解決しようとする課題】
【０００４】
上述した光トランシーバでは、ねじを必要以上に締め付けてしまうことが発生し得る。また、振動等によりねじが緩むことが発生し得る。
【０００５】
本発明は、ホストシステムへのねじの螺合の完了の判別を容易にすることができ、また、螺合が完了したねじが緩み難い光トランシーバを提供することを目的としている。
【課題を解決するための手段】
【０００６】
本発明の一態様に係る光トランシーバは、光レセプタクル、ハウジング、及び、ねじを備えている。光レセプタクルは、外部からの光コネクタプラグを受容するための第１の方向に延びる空間を提供する。ハウジングは、光レセプタクルを搭載する。ねじは、ホストシステムのねじ孔に螺合される。このねじの螺合により、当該光トランシーバは、非ホストシステムに固定される。ねじは、一端部及び他端部を有する棒状のねじ本体部を有する。ねじ本体部の一端部には雄ねじが形成されている。ねじ本体部には、当該ねじの軸線中心に環状の溝が形成されている。ハウジングは、第１の方向に延びる溝であってねじ本体部が配置される溝を画成している。この光トランシーバは、スライダを更に備える。スライダは、スライダ本体部を有する。スライダ本体部は、光レセプタクルの空間からハウジングの溝に向かう第２の方向に延びており、第２の方向においてスライド可能である。スライダ本体部は、一端及び他端を含んでいる。スライダ本体部は、一端及び他端を含んでおり、第１の方向における一端の位置がねじ本体部の溝を画成する面以外のねじ本体部の表面の第１の方向における位置と一致する場合には、スライダ本体部の他端が光レセプタクルの空間内に位置し、スライダ本体部の一端がねじ本体部の溝内に位置する場合には、スライダ本体部の他端が光レセプタクルの空間内への光コネクタプラグの挿入を阻害しないよう、移動可能である。
【０００７】
かかる光トランシーバによれば、光レセプタクルの空間内に光コネクタプラグを挿入することができない場合には、ホストシステムへのねじの螺合が十分でないことが判別できる。一方、光レセプタクルの空間内に光コネクタプラグを挿入することができる場合には、ねじの螺合が十分であることを判別できる。したがって、ねじの螺合の完了が容易に判別できる。また、光レセプタクルの空間内に光コネクタプラグが挿入され、ねじ本体部の溝内にスライダ本体部の一端が位置すると、スライダ本体部によってねじの移動が規制される。したがって、この状態では、光トランシーバに振動が加わってもねじの緩みが発生し難い。また、この状態では、ねじを更に締め付けることができなくなる。
【０００８】
一実施形態においては、スライダは、スライダ本体部に結合されたバネ構造であって、スライダ本体部を光レセプタクルに向けて付勢するバネ構造を有していてもよい。このバネ構造によれば、ホストシステムのねじ穴へのねじの螺合が完了する前の光コネクタプラグの挿入を確実に防止することができる。
【０００９】
一実施形態においては、ハウジングは、スライダ本体部が通る溝が形成された壁を含んでいてもよい。
【００１０】
一実施形態においては、スライダ本体部の他端は、光レセプタクルの空間内に向けて傾斜していてもよく、光レセプタクルは、第２の方向から上記空間を画成する側壁部を有していてもよく、側壁部には、スライダ本体部が通る溝が形成されていてもよい。
【００１１】
一実施形態においては、ねじ本体部は、当該ねじ本体部の溝と一端部の間に設けられたフランジを含んでいてもよく、ハウジングは、ねじ本体部の他端部側のフランジの面に対面する面を有していてもよい。この形態の光トランシーバによれば、ハウジングから光トランシーバが抜け落ちることが防止される。
【００１２】
一実施形態においては、ハウジングは、ねじ本体部の一端部側のフランジの面に対面する面を有していてもよく、光トランシーバは、ねじ本体部の一端部側のフランジの面と当該面に対面するハウジングの面との間に設けられたバネを更に備えていてもよく、当該バネが、ねじ本体部の一端部側のフランジの面を付勢してもよい。この形態の光トランシーバによれば、ねじの螺合が解除されると、バネが、ねじの取り外し方向に当該ねじを付勢する。したがって、ねじの螺合が解除されたことを容易に判別することができる。
【００１３】
一実施形態においては、光トランシーバは、フランジ側のバネの端部に取り付けられたワッシャであって、バネの回転を規制するワッシャを更に備えていてもよい。この形態によれば、ねじの回転に伴うバネの回転を防止することができ、バネの回転に伴う雑音を防止することができる。
【発明の効果】
【００１４】
以上説明したように、本発明によれば、ホストシステムへのねじの螺合の完了の判別を容易にすることができ、また、螺合が完了したねじが緩み難い光トトランシーバが提供される。
【図面の簡単な説明】
【００１５】
【図１】一実施形態に係る光トランシーバの斜視図である。
【図２】図１に示す光トランシーバの分解斜視図である。
【図３】ホストシステムの一例を示す斜視図である。
【図４】図３に示すホストシステムの一部を拡大して示す斜視図である。
【図５】図１に示す光トランシーバから第２のハウジング部及びフロントカバーを取り除いた状態を示す斜視図である。
【図６】一実施形態に係る第１のハウジング部の斜視図である。
【図７】一実施形態に係るねじを示す斜視図である。
【図８】一実施形態に係る第１のハウジング部の前方側の部分を拡大して示す平面図である。
【図９】一実施形態に係るスライダの斜視図である。
【図１０】一実施形態に係る光レセプタクルを示す斜視図である。
【図１１】一実施形態に係る光トランシーバの前方側の部分を示す断面図であり、ねじの螺合が未完了の状態を示す断面図である。
【図１２】図１１に示す状態の光トランシーバを前方から見た平面図であり、フロントカバーを取り除いて示す平面図である。
【図１３】一実施形態に係る光トランシーバの前方側の部分を示す断面図であり、スライダ本体部の一端が、ねじ本体部の溝内に位置する状態を示す断面図である。
【図１４】図１３に示す状態の光トランシーバを前方から見た平面図であり、フロントカバーを取り除いて示す平面図である。
【発明を実施するための形態】
【００１６】
以下、図面を参照して本発明の好適な実施形態について詳細に説明する。なお、各図面において同一又は相当の部分に対しては同一の符号を附すこととする。
【００１７】
図１は、一実施形態に係る光トランシーバの斜視図である。図２は、図１に示す光トランシーバの分解斜視図である。なお、以下の説明では、方向を示す用語として、「前」を、ホストシステムに対して光トランシーバを挿入する方向を示す語として用い、また、「後」をその逆方向を示す語として用いる。また、前後方向を第１の方向ということがある。また、「第２の方向」を、前後方向（第１の方向）に交差する方向であって、光送信サブアセンブリと光受信サブアセンブリが並ぶ方向を示す語として用いる。また、「第３の方向を」、第１の方向及び第２の方向に交差する方向を示す語として用いる。また、第３の方向を上下方向ということがある。
【００１８】
図１及び図２に示す光トランシーバ１０は、光送信サブアセンブリ（ＴＯＳＡ）１２、光受信サブアセンブリ（ＲＯＳＡ）１４、光レセプタクルアセンブリ１８、ハウジング２０、二つのねじ４６、及び、スライダ６２を備えている。
【００１９】
また、一実施形態においては、光トランシーバ１０は、回路基板１６、シールドシート２２、フロントカバー２４、光マルチプレクサ２６、光デマルチプレクサ２８、プラグコネクタ３０、一対のプラグホルダ３２、ガスケット３４、一対のガスケット３６、フロントトレイ３８、リアトレイ４０、コネクタ４２、及び、ホルダ４４を備え得る。
【００２０】
光トランシーバ１０は、プラグコネクタ３０の電気コネクタ部３０ａをホストシステムの電気コネクタソケットに接続することによって利用され得る。光トランシーバ１０は、ねじ４６を、ホストシステムのねじ孔に螺合することによって、ホストシステムに対して固定される。
【００２１】
図３は、ホストシステムの一例を示す斜視図である。図４は、図３に示すホストシステムの一部を拡大して示す斜視図である。図３に示すように、ホストシステム１００は、板状のホスト基板１０２、フロントパネル１０４、カウリング１０６、電気コネクタソケット１０８、及び、レールシステム１１０を備え得る。
【００２２】
フロントパネル１０４は、ホスト基板１０２の一端に取り付けられている。フロントパネル１０４は、ホスト基板１０２に対して交差する面に沿って延在している。フロントパネル１０４は、光トランシーバ１０を挿入するための開口を有している。カウリング１０６は、略角筒状の部材であり、その内孔がフロントパネル１０４の開口に連続するようにフロントパネル１０４に取り付けられている。
【００２３】
ホスト基板１０２には、光トランシーバ１０の挿入方向における奥端に電気コネクタソケット１０８が搭載されている。また、ホスト基板１０２には、電気コネクタソケット１０８に電気コネクタ部３０ａが嵌合するよう、光トランシーバ１０を案内するレールシステム１０２が搭載されている。電気コネクタソケット１０８の第２の方向における両側には、上述したねじ４６が螺合されるねじ孔１０８ａが設けられている。
【００２４】
ここで、光トランシーバ１０の各部品について、詳細に説明する。図５は、図１に示す光トランシーバから第２のハウジング部及びフロントカバーを取り除いた状態を示す斜視図である。以下、図１、図２及び図５を参照する。ＴＯＳＡ  １２は、回路基板からの電気信号を光信号に変換する。ＴＯＳＡ  １２は、半導体レーザを備え得る。ＲＯＳＡ  １４は、受信した光信号を電気信号に変換して、当該電気信号を回路基板に出力する。ＲＯＳＡ  １４は、フォトダイオードを備え得る。
【００２５】
光トランシーバ１０は、四つのＴＯＳＡ  １２、及び、四つのＲＯＳＡ  １４を備え得る。光トランシーバ１０では、ＴＯＳＡ  １２は、第２の方向（Ｙ方向）における一方側（即ち、送信側）において第２の方向に並べられており、ＲＯＳＡ１４は、他方側（即ち、受信側）において、第２の方向に並べられている。本光トランシーバ１０は、四つのＴＯＳＡ  １２によって互いに異なる波長を有する四つの光信号を生成し、これら四つの光信号を多重化することにより生成される多重化光信号を、外部からの光コネクタプラグに提供することができる。また、光トランシーバ１０は、光コネクタプラグからの多重化光信号を四つの光信号に分離して、当該四つの光信号を四つのＲＯＳＡ  １４に提供することができる。
【００２６】
ＴＯＳＡ  １２及びＲＯＳＡ  １４は、回路基板１６に電気的に接続されている。より詳細には、ＴＯＳＡ  １２及びＲＯＳＡ  １４は、回路基板１６の前方側の端部に接続され得る。回路基板１６は、後方側の端部にカードエッジコネクタ１６ａを有し得る。このカードエッジコネクタ１６ａは、プラグコネクタ３０のソケット部３０ｂに挿入され、プラグコネクタ３０の電気コネクタ部３０ａに電気的に接続される。このプラグコネクタ３０の電気コネクタ部３０ａは、ホストシステムの電気コネクタソケット１０８に接続される。
【００２７】
プラグコネクタ３０は、一対のプラグホルダ３２を介してハウジング２０に対して固定されている。また、回路基板１６は、その第２の方向における両縁部に接触するガスケット３４とガスケット３６を介して、ハウジング２０に対して弾性的に支持されている。一実施形態では、ガスケット３４及び３６は、導電性と弾性を有する弾性部材であってもよく、例えば、表面に金属メッキを施したゴムチューブ表面に金属メッキを施したゴムチューブや、あるいは導電性の材料を配合したゴム製のチューブであってもよい。この場合には、回路基板１６の両縁部にグランドパターンが形成されていてもよい。
【００２８】
ハウジング２０は、ＴＯＳＡ  １２、ＲＯＳＡ  １４、回路基板１６、光レセプタクルアセンブリ１８といった光トランシーバの部品を覆うように設けられている。ハウジング２０は、第１のハウジング部４８及び第２のハウジング部５０を含んでいる。ハウジング２０は、第１のハウジング部４８及び第２のハウジング部５０が互いに組み合わされることによって構成される。第１のハウジング部４８及び第２のハウジング部５０は、上下方向（第３の方向、Ｚ方向）に互いに分離可能である。第１のハウジング部４８は、回路基板１６をその一方の基板面側から覆うように設けられ、第２のハウジング部５０は、回路基板１６をその他方の基板面側から覆うように設けられる。第１のハウジング部４８及び第２のハウジング部５０は、金属製の部材である。第１のハウジング部４８及び第２のハウジング部５０は、例えば、Ｎｉメッキを施したアルミ製の部材であってもよい。
【００２９】
図６は、一実施形態に係る第１のハウジング部の斜視図である。図６に示すように、第１のハウジング部４８は、前方から後方へ順に、第１の領域Ｒ１、第２の領域Ｒ２、及び第３の領域Ｒ３を画成している。第１の領域Ｒ１は、第２の方向（幅方向、Ｙ方向）における中央部分に、光レセプタクルを搭載するための光レセプタクル搭載領域Ｒ４を含んでいる。第３の領域Ｒ３は、回路基板１６を搭載するための回路基板搭載領域として用いられる。また、第３の領域Ｒ３には、回路基板１６と第１のハウジング部４８との間に、リアトレイ４０が搭載される。また、第３の領域Ｒ３を画成する第１のハウジング部４８の両縁部であって第２の方向における両縁部には、ガスケット３６を搭載するための溝ＧＧが形成されている。
【００３０】
図２、図５、及び図６に示すように、第１の領域Ｒ１において光レセプタクル搭載領域Ｒ４の両脇の部分には、光マルチプレクサ２６、光デマルチプレクサ２８がそれぞれ搭載されている。より詳細には、光マルチプレクサ２６は、光レセプタクル搭載領域Ｒ４に対して送信側に搭載されている、光デマルチプレクサ２８は、光レセプタクル搭載領域Ｒ４に対して受信側に搭載されている。また、第２の領域Ｒ２には、第１の方向（Ｘ方向）において前方側から順に、フロントトレイ３８、コネクタ４２、及び、ホルダ４４が搭載される。なお、フロントトレイ３８及びホルダ４４は、第１のハウジング部４８に対して、ねじ等により固定され得る。
【００３１】
光マルチプレクサ２６は、四つのＴＯＳＡ  １２からの光信号を多重化する部品である。光マルチプレクサ２６は、当該光マルチプレクサ２６と四つのＴＯＳＡ  １２とを接続する四つの第１の光ファイバＦ１、及び、光マルチプレクサ２６と光レセプタクルとの間を接続する第２の光ファイバＦ２とを備えている（図２参照）。この第２の光ファイバＦ２の先端には、スリーブが設けられている。
【００３２】
第１の光ファイバＦ１は、第１のハウジング部４８の送信側の底面に形成された溝ＧＦ１を通って、第３の領域Ｒ３においてリアトレイ４０によって案内されることにより受信側へ向かい、その後、前方へ向かい、更にフロントトレイ３８によって案内されて送信側へ向かい、更に後方へ向かい、対応のコネクタ４２へ配線される。そして、第１の光ファイバＦ１は、コネクタ４２によってその先端部を保持される。
【００３３】
第２の光ファイバＦ２は、溝ＧＦ１を通り、第３の領域Ｒ３においてリアトレイ４０によって案内されることにより受信側へ向かい、その後、前方側へ向かい、第１のハウジング部４８の送信側の底面に形成された溝ＧＦ２又は溝ＧＦ３を通って、光レセプタクル搭載領域Ｒ４へ配線される。
【００３４】
溝ＧＦ１及びリアトレイ４０、並びに、溝ＧＦ３又はＧＦ２によって案内された第１の光ファイバＦ１及び第２の光ファイバＦ２は、フロントトレイ３８、コネクタ４２、ホルダ４４、及び回路基板１６と第１のハウジング部４８との間に位置する。したがって、第１の光ファイバＦ１及び第２の光ファイバＦ２の第１のハウジング部４８からの浮き上がりが防止される。
【００３５】
光デマルチプレクサ２８は、光コネクタプラグからの多重化光信号を複数の光信号に分離し、当該複数の光信号を対応のＲＯＳＡ  １４に提供する部品である。光デマルチプレクサ２８は、当該光デマルチプレクサ２８と四つのＲＯＳＡ  １４とを接続する四つの第３の光ファイバＦ３、及び、当該デマルチプレクサ２８と光レセプタクルとの間を接続する第４の光ファイバＦ４とを有している。
【００３６】
第３の光ファイバＦ３は、第１のハウジング部４８の受信側の底面に形成された溝ＧＦ４を通って、第３の領域Ｒ３においてリアトレイ４０によって案内されることにより送信側へ向かい、その後、前方側へ向かい、更にフロントトレイ３８によって案内されて受信側へ向かい、更に後方へ向かい、対応のコネクタ４２へ配線される。そして、第３の光ファイバＦ３は、コネクタ４２によってその先端部を保持される。
【００３７】
また、第４の光ファイバＦ４は、溝ＧＦ４を通り、第３の領域Ｒ３においてリアトレイ４０によって案内されることにより送信側へ向かい、その後、前方側へ向かい、更に第１のハウジング部４８の底面に設けられた溝ＧＦ５又は溝ＧＦ６を通って、光レセプタクル搭載領域Ｒ４へ配線される。
【００３８】
溝ＧＦ４及びリアトレイ４０、並びに、溝ＧＦ５又はＧＦ６によって案内された第３の光ファイバＦ３及び第４の光ファイバＦ４は、フロントトレイ３８、コネクタ４２、ホルダ４４、及び回路基板１６と第１のハウジング部４８との間に位置する。したがって、第３の光ファイバ及び第４の光ファイバの第１のハウジング部４８からの浮き上がりが防止される。
【００３９】
光トランシーバ１０では、コネクタ４２は前後方向に移動可能なようにフロントトレイ３８に係合されている。また、ＴＯＳＡ  １２及びＲＯＳＡ  １４は、ホルダ４４によって保持されている。この光トランシーバ１０では、コネクタ４２が後方へ移動し当該コネクタ４２がホルダ４４と係合することによって、第１の光ファイバＦ１とＴＯＳＡ  １２が光学的に結合され、第３の光ファイバＦ３とＲＯＳＡ  １４とが光学的に結合される。
【００４０】
図６に示すように、第１のハウジング部４８は、光レセプタクル搭載領域Ｒ４を画成する第１の壁Ｗ１を含んでいる。第１の壁Ｗ１は、第１の方向に交差する面に沿って延在しており、後方側から光レセプタクル搭載領域Ｒ４を画成している。
【００４１】
第１の壁Ｗ１には、一対の第１の溝ＧＳ１、及び一対の第２の溝ＧＳ２が形成されている。第１の溝ＧＳ１間のピッチは、溝ＧＦ２と溝ＧＦ５の間のピッチと略同一である。また、第１の溝ＧＳ１の一方と溝ＧＦ２は、第１の方向に延びる直線に沿って設けられている。また、第１の溝ＧＳ２の他方と溝ＧＦ５は、第１の方向に延びる別の直線に沿って設けられている。
【００４２】
さらに、第２の溝ＧＳ２間のピッチは、溝ＧＦ３と溝ＧＦ６の間のピッチと略同一である。また、第２の溝ＧＳ２の一方と溝ＧＦ３は、第１の方向に延びる直線に沿って設けられている。また、第２の溝ＧＳ２の他方と溝ＧＦ６は、第１の方向に延びる別の直線に沿って設けられている。
【００４３】
一実施形態においては、第１のハウジング部４８は、更に、光レセプタクル搭載領域Ｒ４を第２の方向における両側から画成する一対の第２の壁Ｗ２を含み得る。第２の壁Ｗ２のそれぞれには、溝ＧＲが形成されている。
【００４４】
かかる第１の壁Ｗ１及び第２の壁Ｗ２によって画成される光レセプタクル搭載領域Ｒ４には、上述したように、光レセプタクルが搭載される。図２に示すように、光レセプタクルアセンブリ１８は、光レセプタクル５２、シールドシート２２、及びスリーブ５４を含んでいる。
【００４５】
スリーブ５４は、光ファイバＦ２及びＦ４の先端に設けられた部材である。スリーブ５４は、例えば、金属製である。スリーブ５４は、第１の方向に延びる筒状をなしている。スリーブ５４は、その内孔に、光ファイバＦ２及びＦ４の先端を保持したスタブを有している。スリーブ５４は、外部からの光コネクタプラグとＴＯＳＡ  １２及びＲＯＳＡ  １４を光学的に結合する。より詳細には、外部からの光コネクタプラグのフェルールがスリーブの内孔に受容されることによって、当該フェルールに保持された光ファイバと光ファイバＦ２又はＦ４が光学的に結合される。これにより、光コネクタプラグとＴＯＳＡ  １２及びＲＯＳＡ  １４が光学的に結合される。
【００４６】
光レセプタクル５２は、樹脂製の部品である。光レセプタクル５２は、外部からの光コネクタプラグとＴＯＳＡ  １２及びＲＯＳＡ  １４とを光学的に結合するための部品である。より詳細には、光レセプタクル５２は、光コネクタプラグ及びスリーブ５４を結合するための二つの空間を提供している。これら二つの空間は、第１の方向に延びている。光レセプタクル５２は、これら空間を画成する複数の壁を有している。
【００４７】
シールドシート２２は、光レセプタクル５２の後壁部と第１のハウジング部４８の第１の壁Ｗ１との間に狭持される。シールドシート２２は、例えば、導電性不織布であってもよい。
【００４８】
このように構成された光レセプタクルアセンブリ１８は、光レセプタクル搭載領域Ｒ４に搭載される。より詳細には、スリーブ５４の一部が溝ＧＳ１を通り、光レセプタクル５２が光レセプタクル搭載領域Ｒ４に搭載される。なお、この例における光レセプタクル５２は、ＳＣ型の光コネクタプラグをラッチすることが可能なＳＣ型の光レセプタクルである。一実施形態においては、光レセプタクル５２としてＬＣ型の光レセプタクルが光レセプタクル搭載領域Ｒ４に搭載されてもよい。ＬＣ型の光レセプタクル５２の場合には、スリーブ５４は、スリーブ５４の一部が溝ＧＳ２を通る。
【００４９】
図１及び図２に示すように、第１のハウジング部４８の前端壁には、フロントカバー２４がねじ６０を用いて取り付けられる。フロントカバー２４は、光レセプタクル５２の開口端を露出させるように、第１のハウジング部４８の前端壁に取り付けられる。フロントカバー２４は、光レセプタクル５２を第１の壁Ｗ１に向けて押圧する。これにより、シールドシート２２は、光レセプタクル５２の後壁部と第１のハウジング部４８の第１の壁Ｗ１との間に狭持される。
【００５０】
以下、ハウジング２０、ねじ４６、光レセプタクル５２、及び、スライダ６２についてより詳細に説明する。図６に示すように、ハウジング２０の第２の方向における両縁部には、ねじ４６を通すための溝ＧＮが形成されている。この溝ＧＮは、第１の方向に延びるよう形成されている。
【００５１】
図７は、一実施形態に係るねじを示す斜視図である。図７に示すように、ねじ４６は、棒状のねじ本体部４６ａ、及び、ノブ４６ｂを有している。ねじ本体部４６ａは、一端部４６ｃ及び他端部４６ｄを含んでいる。一端部４６ｃには、ねじ孔１０８ａに螺合する雄ねじが形成されている。他端部４６ｄには、ノブ４６ｂが取り付けられている。ノブ４６ｂは、光トランシーバ１０の利用者によるねじ４６の操作のために提供されている。また、ねじ本体部４６ａには、当該ねじ本体部４６ａの軸線中心に環状の溝４６ｅが形成されている。
【００５２】
また、一実施形態においては、ねじ本体部４６ａは、上述した溝４６ｅと一端部４６ｃとの間にフランジ４６ｆを有している。フランジ４６ｆは、ねじ本体部４６ａにおいて当該フランジ４６ｆに隣接する部分の径より大きい径を有している。ねじ本体部４６ａには、フランジ４６ｆと一端部４６ｃとの間にバネ（スプリングコイル）６４が、取り付けられている（図２参照）。ねじ４６は、一端部４６ｃが第１のハウジング部４８の後端側に位置し、他端部４６ｄが第１のハウジング部４８の前端側に位置するように、溝ＧＮ内に配置される。
【００５３】
図８は、一実施形態に係る第１のハウジング部の前方側の部分を拡大して示す平面図である。図８に示すように、第１のハウジング部４８の溝ＧＮは、バネ６４を収容するための領域ＧＮ１を含んでいる。領域ＧＮ１の第２の方向における幅は、溝ＧＮにおいて当該領域ＧＮ１に隣接する部分の幅より大きくなっている。したがって、溝ＧＮを画成する第１のハウジング部４８の面は、領域ＧＮ１の前方端及び後方端において段状になっている。具体的に、溝ＧＮを画成する第１のハウジング部４８の面は、領域ＧＮの前方端において第１の方向に交差する面ＳＦ１を含んでおり、領域ＧＮの後方端において第１の方向に交差する面ＳＦ２を含んでいる。
【００５４】
面ＳＦ１は、フランジ４６ｆの他端部４６ｄ側の面に対面している。面ＳＦ２は、フランジ４６ｆの一端部４６ｃ側の面に対面している。これにより、第１のハウジング部４８からねじ４６が抜け落ちることが防止されている。また、上述したバネ６４は、フランジ４６ｆの一端部４６ｃ側の面と第１のハウジング部４８の面ＳＦ２との間に設けられている。このバネ６４は、フランジ６２ｆを前方へ付勢している。これにより、ホストシステム１００のねじ孔１０８ａに対するねじ４６の締結が解除されると、ねじ４６がバネ６４によって押されて前方へ移動する。したがって、ねじ４６の締結が解除されたことを容易に判別することができる。
【００５５】
また、一実施形態においては、バネ６４のフランジ４６ｆ側の端部にはワッシャ６６が取り付けられていてもよい。ワッシャ６６は、ねじ４６の回転に伴うバネ６４の回転を規制する。例えば、溝ＧＮの領域ＧＮ１は、第１の方向に直交する断面形状を矩形に形成し、ワッシャの平面形状を略矩形に形成してもよい。これにより、ワッシャ６６の溝ＧＮ内での回転が規制され、その結果、バネ６４の回転も規制される。かかる形態によれば、バネ６４の回転に伴う雑音の発生が防止される。
【００５６】
図６を再び参照する。一実施形態においては、第１のハウジング部４８は、更に、その前方側の端部に前端壁ＷＦを含み得る。前端壁ＷＦは、第１の方向に交差する面に沿って延在している。前端壁ＷＦは、光レセプタクル搭載領域Ｒ４の第２の方向における両側に設けられている。
【００５７】
前端壁ＷＦの前方側の表面には、第２の方向に延びる溝ＧＭが形成されている。溝ＧＭの第２の方向の一端は、光レセプタクル搭載領域Ｒ４まで延びており、溝ＧＭの第２の方向の他端は、溝ＧＮの近傍まで延びている。この溝ＧＭ内には、スライダ６２が配置される。スライダ６２は、溝ＧＭ内において第２の方向にスライドし得る。
【００５８】
図９は、一実施形態に係るスライダの斜視図である。スライダ６２は、板金性の部材である。図９に示すように、スライダ６２は、スライダ本体部６２ａを有する。スライダ本体部６２ａは、第２の方向に延びる帯状の部分である。スライダ本体部６２ａは、一端６２ｂ及び他端６２ｃを含んでいる。一実施形態においては、スライダ本体部６２ａの他端６２ｃは、後方へ傾斜している。
【００５９】
一実施形態においては、スライダ６２は更にバネ構造６２ｄを有し得る。図９に示す形態では、スライダ６２は、二つのバネ構造６２ｄを有している。バネ構造６２ｄは、本体部６２ａの両縁から第３の方向（Ｚ方向）に延びている。バネ構造６２ｄは、第２の方向（Ｙ方向）にバネ力を発揮し得る。バネ構造６２ｄは、そのバネ力により、スライダ本体部６２ａを光レセプタクル５２の方へ付勢する。
【００６０】
再び図６を参照する。第１のハウジング部４８の前端壁ＷＦに形成された溝ＧＭは、バネ構造６２ｄを収容して当該バネ構造６２ｄの変形を許容する領域ＧＭ２を含んでいる。具体的には、領域ＧＭ２は、溝ＧＭにおける他の部分より第３の方向における幅の広い溝を提供している。
【００６１】
図１０は、一実施形態に係る光レセプタクルを示す斜視図である。図１０に示すように、光レセプタクル５２は、第１の方向に延びる二つの空間５２ａを提供している。光レセプタクル５２の二つの空間５２ａ内には、それらの後方側からスリーブ５４が挿入される。また、光レセプタクル５２の二つの空間５２ａ内には、それらの前方側から光コネクタプラグが挿入される。光レセプタクル５２は、これら空間５２ａ内において、外部からの光コネクタプラグとスリーブ５４が結合されることにより、光コネクタプラグとＴＯＳＡ  １２及びＲＯＳＡ  １４が光学的に結合される。
【００６２】
光レセプタクル５２は、空間５２ａを画成する壁を含んでいる。特に、光レセプタクル５２は、空間５２ａを第２の方向から画成する一対の側壁部５２ｂを含んでいる。一実施形態においては、スライダ本体部６２ａの他端６２ｃは、空間５２ａ内において後方へ向かうよう傾斜していてもよく、側壁部５２ｂには、スライダ本体部６２ａが通る溝５２ｃが形成されていてもよい。
【００６３】
図１１は、一実施形態に係る光トランシーバの前方側の部分を示す断面図であり、ねじの螺合が未完了の状態を示す断面図である。図１２は、図１１に示す状態の光トランシーバを前方から見た平面図であり、フロントカバーを取り除いて示す平面図である。上述したように、スライダ本体部６２ａはバネ構造６２ｄによって光レセプタクル５２の方へ付勢されている。したがって、図１１及び図１２に示すように、光コネクタプラグが光レセプタクル５２の空間５２ａ内に挿入されていない場合には、スライダ本体部６２ａの他端６２ｃが光レセプタクル５２の空間５２ａ内に位置する。
【００６４】
図１１に示すように、ねじ４６のホストシステム１００のねじ孔１０８ａへの螺合が完了していない場合には、光コネクタプラグを光レセプタクル５２の空間５２ａ内に挿入しようとしても、スライダ本体部６２ａの一端６２ｂが、ねじ本体部４６ａの溝４６ｅの周囲の面に当接する。したがって、スライダ本体部６２ａの他端６２ｃが、光レセプタクル５２の空間５２ａから退避しない。この状態では、光コネクタプラグを光レセプタクル５２の空間５２ａ内に挿入することができない。
【００６５】
図１３は、一実施形態に係る光トランシーバの前方側の部分を示す断面図であり、スライダ本体部の一端が、ねじ本体部の溝内に位置する状態を示す断面図である。図１４は、図１３に示す状態の光トランシーバを前方から見た平面図であり、フロントカバーを取り除いて示す平面図である。一方、ホストシステム１００のねじ孔１０８ａへのねじ４６の螺合が完了していると、図１３及び図１４に示すように、光コネクタプラグ１２０を光レセプタクル５２の空間５２ａ内に挿入することができる。即ち、ねじ４６のホストシステム１００のねじ孔１０８ａへの螺合が完了していると、ねじ本体部４６ａの溝４６ｅの第１の方向における位置とスライダ本体部６２ａの一端６２ｂの第１の方向における位置が一致する。この状態で、光コネクタプラグ１２０を光レセプタクル５２の空間５２ａ内に挿入すると、スライダ本体部６２ａは、他端６２ｃが光コネクタプラグの挿入を阻害しないように、第２の方向へ移動する。このとき、スライダ本体部６２ａの一端６２ｂは、ねじ本体部４６ａの溝４６ｅ内に位置する。
【００６６】
したがって、光トランシーバ１０によれば、光レセプタクル５２の空間５２ａ内に光コネクタプラグ１２０を挿入することができる場合には、ねじ４６の螺合が完了していることを判別できる。また、ねじ４６の螺合が完了し、光コネクタプラグ１２０が光レセプタクル５２の空間５２ａ内に挿入されていると、溝４６ｅ内に位置するスライダ本体部６２ａの一端６２ｂがねじ４６の移動を規制する。したがって、衝撃等によりねじ４６が緩むことがない。また、ねじ４６を更に締め付けることもできなくなる。故に、ねじ４６の破損を防止することができる。
【符号の説明】
【００６７】
１０…光トランシーバ、１６…回路基板、１６ａ…カードエッジコネクタ、１８…光レセプタクルアセンブリ、２０…ハウジング、２２…シールドシート、２４…フロントカバー、２６…光マルチプレクサ、２８…光デマルチプレクサ、３０…プラグコネクタ、３０ａ…電気コネクタ部、３０ｂ…ソケット部、３２…プラグホルダ、３４…ガスケット、３６…ガスケット、３８…フロントトレイ、４０…リアトレイ、４２…コネクタ、４４…ホルダ、４６…ねじ、４６ａ…ねじ本体部、４６ｂ…ノブ、４６ｃ…一端部、４６ｄ…他端部、４６ｅ…溝、４６ｆ…フランジ、４８…第１のハウジング部、５０…第２のハウジング部、５２…光レセプタクル、５２ａ…空間、５２ｂ…側壁部、５２ｃ…溝、５４…スリーブ、６２…スライダ、６２ａ…スライダ本体部、６２ｂ…一端、６２ｃ…他端、６２ｄ…バネ構造、６４…バネ、６６…ワッシャ。
【図１】
0005471813.tif 000002
【図２】
0005471813.tif 000003
【図４】
0005471813.tif 000004
【図５】
0005471813.tif 000005
【図６】
0005471813.tif 000006
【図７】
0005471813.tif 000007
【図８】
0005471813.tif 000008
【図９】
0005471813.tif 000009
【図１０】
0005471813.tif 000010
【図１１】
0005471813.tif 000011
【図１２】
0005471813.tif 000012
【図１３】
0005471813.tif 000013
【図１４】
0005471813.tif 000014
【図３】
0005471813.tif 000015